(57)【要約】【課題】本発明は、非常時への切替えの際においても第１の高周波発生装置の不具合が生じることを抑制するとともに、切換え手段の信頼性を向上することができる防災照明用点灯装置及び防災照明装置を提供する。【解決手段】本実施形態は、交流電源１からの出力が８５パーセント以下になった場合に、強制的に常用点灯回路４の発振を停止させる制御手段３を常用点灯ユニット１０に設けた。したがって、非常時において常用点灯回路４へ非常用点灯回路７からの出力が入力されてしまっても常用点灯回路４の不具合を生じることを抑えることができる。また、切替え部８０，８１に係る負荷も軽減することができる。【選択図】図１
2004119288.tif 000002
【特許請求の範囲】
【請求項１】
放電灯と；
常用電源の出力を高周波に変換して放電灯を点灯する出力可変の第１の高周波発生装置と；
常用電源の出力が８５パーセント以下になった時には非常用電源の出力を高周波に変換して放電灯を点灯する第２の高周波発生装置と；
放電灯への電力供給を常用電源の状態に応じて第１の高周波発生装置および第２の高周波発生装置のいずれかに切換える切換え手段と；
常用電源の出力が常用時と比較して少なくとも８５パーセントになっている時には第１の高周波発生装置の発振が強制的に停止されている状態となるように制御する制御手段と；
を具備することを特徴と防災照明用点灯装置。
【請求項２】
照明装置本体と；
照明装置本体に設けられた請求項１記載の防災照明用点灯装置と；
を具備することを特徴とする防災照明装置。
【発明の詳細な説明】
【０００１】
【発明の属する技術分野】
本発明は、防災照明用点灯装置及び非常灯、誘導灯のような防災照明装置に関する。
【０００２】
【従来の技術】
従来、防災照明用点灯装置としては各種のものが提案されている。これらのうち、常用電源の出力を第１の高周波発生装置にて高周波に変換して放電灯を点灯するとともに、非常時には非常用電源の出力を第２の高周波発生装置にて高周波に変換して放電灯を点灯するものが開示されている。（例えば特許文献１参照。）
【０００３】
また、このような従来技術は、消防法により、常用電源が８５パーセント以下から４０パーセント以上となった場合には非常用点灯装置である第２の高周波発生装置を起動させるように定められているものである。したがって、第２の高周波発生装置が起動すると切換え手段が第２の高周波発生装置で放電灯が点灯されるように作用することとなる。
【０００４】
【特許文献１】
特開２００２−２３７３９２号公報（第２−３頁、第１図）
【０００５】
【発明が解決しようとする課題】
しかしながら従来の技術は、例えば切換え手段の切換え部にリレーを用いており、接点間がより近接した状態等になっていた場合、常用電源が非常時となった際に、第２の高周波発生装置からの出力が本来接続されていない切替え接点から第１の高周波発生装置側へリークしてしまうという虞がある。このような状態になると、第１の高周波発生装置の発振は非常時であっても継続しているために、出力方向とは反対の方向からリーク電流が入力してしまうので、第１の高周波発生装置が不具合を生じてしまう虞がある。
【０００６】
また、非常時であってもリレー等の各々の切替え点に常に電圧が印加されている状態となるので、切替え部に係る負荷も大きいものであった。
【０００７】
本発明は上記に鑑みたものであり、非常時への切替えの際においても第１の高周波発生装置の不具合が生じることを抑制するとともに、切換え手段の信頼性を向上することができる防災照明用点灯装置及び防災照明装置を提供することを目的とする。
【０００８】
【課題を解決するための手段】
請求項１記載の防災照明用点灯装置は、常用電源の出力を高周波に変換して放電灯を点灯する出力可変の第１の高周波発生装置と；常用電源の出力が８５パーセント以下になった時には非常用電源の出力を高周波に変換して放電灯を点灯する第２の高周波発生装置と；放電灯への電力供給を常用電源の状態に応じて第１の高周波発生装置および第２の高周波発生装置のいずれかに切換える切換え手段と；常用電源の出力が常用時と比較して少なくとも８５パーセントになっている時には第１の高周波発生装置の発振が強制的に停止されている状態となるように制御する制御手段と；を具備することを特徴とする。
【０００９】
本発明によれば、まず、常用時は常用電源からの出力が第１の高周波発生装置により高周波に変換されて放電灯を点灯する。しかしながら、常用電源の出力が８５パーセント以下となると、放電灯への電力が第２の高周波発生装置から供給されるように切換え手段が切替えることで、放電灯が非常点灯する。さらに常用電源の出力が常用時と比較して少なくとも８５パーセントになっている時には制御手段によって第１の高周波発生装置の発振を強制的に停止させる。
【００１０】
なお、本発明においては、常用電源の出力が８５パーセントになった際には第１の高周波発生装置の発振が停止されるとともに、常用電源からの出力が少なくとも８５パーセントを超えない限り第１の高周波発生装置の発振は継続して停止されることとなる。
【００１１】
請求項１記載の発明によれば、放電灯と；常用電源の出力を高周波に変換して放電灯を点灯する出力可変の第１の高周波発生装置と；常用電源の出力が８５パーセント以下になった時に非常用電源の出力を高周波に変換して放電灯を点灯する第２の高周波発生装置と；放電灯への電力供給を常用電源の状態に応じて第１の高周波発生装置および第２の高周波発生装置のいずれかに切換える切換え手段と；常用電源の出力が常用時と比較して少なくとも８５パーセントになっている時には第１の高周波発生装置の発振が強制的に停止されている状態となるように制御する制御手段と；を具備したことにより、非常時において第１の高周波発生装置へ誤って第２の高周波発生装置からの出力が入力されたとしても第１の高周波発生装置に不具合を生じさせることを抑えることができる。
【００１２】
また、非常時は切替え手段の第二の高周波発生装置側のみに電圧が印加されている状態となるので、切替え部に係る負荷を軽減し、切替え手段の信頼性を向上することができる。
【００１３】
請求項２の防災照明器具によれば、照明装置本体と；照明装置本体に設けられた請求項１記載の防災照明用点灯装置と；を具備したことを特徴とする。
【００１４】
本発明において、「防災照明器具」とは、誘導灯および非常用照明器具を含む概念であり、「誘導灯」とは、建築物の中にいる人々に非難口の位置および非難方向を明示する照明器具をいい、「非常用照明器具」とは、地震、火災などの災害や事故などにより停電したとき、人命の救助と消火活動が容易に行えるように設ける照明器具であり、停電したときに居室、廊下、階段などを規定の明るさで照明するものをいう。
【００１５】
請求項２記載の発明によれば、請求項１記載の作用効果を有する。
【００１６】
【発明の実施の形態】
本発明の一実施形態を図面を参照して説明する。図１は本実施形態の防災照明用点灯装置を示す回路図、図２は本発明の防災照明器具を示す斜視図である。
【００１７】
各図において１は常用電源である交流電源、２は整流平滑部、３は制御手段、４は第１の高周波発生回路である常用点灯回路、５は充電／停電検出部、６は非常用電源であるバッテリ、７は第２の高周波発生装置である非常用点灯回路、８は切替え手段、９は常用／非常用兼用の放電灯（蛍光ランプ）である。
【００１８】
交流電源１は、常用点灯ユニット１０と非常用点灯ユニット２０とに接続されている。
【００１９】
常用点灯ユニット１０は、整流平滑部２、制御手段３、常用点灯回路４からなり、まず、交流電源１からの電力が供給されるように整流平滑部２が設けられている。
【００２０】
この整流平滑部２は、平滑コンデンサ２１や整流装置２２を用いて適宜構成することができるものである。
【００２１】
そして、整流／平滑された電力が入力するように整流平滑部２の出力側に制御手段３が設けられている。
【００２２】
この制御手段３は、入力された電力の電圧を監視しており、常用時と比較して制御手段３に入力された電圧が常用時の少なくとも８５パーセントとなっている時には後述する常用点灯回路４の発振が強制的に停止されている状態とするように構成されている。なお、このような作用を有すれば、制御手段３は如何なる部材から構成されていてもよい。
【００２３】
常用点灯回路４は、制御手段３の出力側に接続されており、出力が可変となものとなっている。また、この常用点灯回路４は、一石式又は二石式等のインバータ等を適宜用いることができる。
【００２４】
非常用点灯ユニット２０は、充電／停電検出部５、バッテリ６、非常用点灯回路７からなる。そして、まず、交流電源１からの電力が充電／停電検出回路５へ入力されるように設けられている。
【００２５】
充電／停電検出回路５は、例えば、充電回路は、既知の降圧トランスおよび全波整流器からなる構成でも実現可能であり、直流が出力されるようになっているものである。また、停電検出回路は、既知の電圧リレーを用いての実現も可能である。なお、本実施形態の停電検出回路は、停電検出時に非常用点灯回路７の入力端と後述するバッテリ６とが接続されるバッテリ切替え部６１の接点が６１ａから６１ｂに切替わるとともに、後述する切替え手段８により常用点灯回路１０に代わって非常用点灯回路７からの放電灯９に電力が供給されるように作用するものである。
【００２６】
バッテリ６は、ニッケル・カドミウム電池からなり、充電／停電検出回路５の直流出力端間に接続されている。なお、バッテリ６は、ニッケル・水素電池等その他の材料からなる蓄電池でもよく、要するに非常用電源として作用するものであれば如何なるものであっても良い。なお、非常用電源に応じて充電回路は適宜用いられることはいうまでもない。
【００２７】
非常用点灯回路７は、インバータを主構成要素とする高周波点灯方式によるものである。
【００２８】
切替え手段８は、リレーである切替え部８０、８１からなり、各々切替え接点８０ａ、８０ｂ、８１ａ、８１ｂが設けられている。
【００２９】
切替え部８０、８１は、切替え接点８０ａ、８１ａが常用点灯回路４の出力側となるように設け、切替え接点８０ｂ、８１ｂが非常用点灯回路７の出力側となるように設けられている。
【００３０】
本実施形態の常用時においては、常用点灯ユニット１０は、交流電源１からの電力が整流装置２２、平滑コンデンサー２１により整流・平滑され、整流／平滑部２から出力された電力は制御手段３へ入力する。この制御手段３へ入力された電力のうち、制御手段３では電圧を監視しており、常時の電圧（例えば１００Ｖ）を１００パーセントとした場合に、入力された電圧が基準値以上（少なくとも８５パーセント以上の値）であると、常用点灯回路４が発振をするように制御する。したがって、この場合には常用点灯回路４は制御手段３から電力が供給されるので、供給された電力を高周波へ変換して放電灯９へ供給し、放電灯９が点灯する。なお、常用時は後述する充電／停電検出回路が停電を検出しないので、切替え手段８は切替え部８０，８１の接点を各々８０ａ、８１ａと接続するように作用している。
【００３１】
また、非常用ユニット点灯２０においては、交流電源１からの電力がまず充電／停電検出回路部５へ入力する。そして、この停電検出部において停電（交流電源１から入力された電圧が常用時を１００パーセントとした場合に８５パーセント以下となっている状況）というように検出されていない状況であるので、まず、バッテリ切替え部６１の接点は６１ａとなるように作用（図１のＡ）させるとともに、切替え手段８の切替え部８０，８１の接点は、各々８０ａ、８１ａと接続するように作用（図１のＢ）させる。したがって、バッテリ６は充電されている状態であり、非常用点灯回路７は停止状態である。
【００３２】
次に非常時においては、非常用点灯ユニット２０は、充電／停電監視部５が停電を検出することにより、まず、バッテリ切替え部６０の接点を６１ｂへ切替えるとともに、切替え手段８の切替え部８０，８１の接点が各々８０ｂ、８１ｂへとなるように作用する。そして、バッテリ６からの電力が非常用点灯回路７へ入力されることにより非常用点灯回路７が発振／高周変換し、放電灯９へ電力が供給され、放電灯９が非常点灯する。
【００３３】
また、常用点灯ユニット１０においては、制御手段３において、制御手段３に入力された電圧が基準値以下であると検出されると、制御手段３は常用点灯回路４の発振を強制的に停止させるように作用する。したがって、常用点灯回路４の発振は常用電源の出力が常用時と比較して少なくとも８５パーセントになっている時には停止することとなる。
【００３４】
本実施形態によれば、交流電源１からの出力が常用時と比較して少なくとも８５パーセントになっている時には、常用点灯回路４の発振が強制的に停止されている状態となるように制御する制御手段３を常用点灯ユニット１０に設けたので、非常時において常用点灯回路４へ誤って非常用点灯回路７からの出力が入力されてしまっても常用点灯回路４を構成する各電気／電子部品が不具合を生じることを抑えることができる。
【００３５】
また、非常時は切替え部８０の一対の接点８０ａ、８０ｂ又は切替え部８１の一対の接点８１ａ、８１ｂの一方の接点のみに電圧が印加されている状態となるので、切替え部８０，８１に係る負荷を軽減することになり、切替え手段８の信頼性を向上することができる。
【００３６】
図２は、本発明の防災照明器具の一実施形態における非常用照明器具５０を示す斜視図である。
【００３７】
図において、３０は非常用照明器具本体、４０は常用点灯ユニット１０と非常用点灯ユニット２０とが内蔵されている防災照明用点灯装置である。
【００３８】
非常用照明器具本体１９は、常用・非常用兼用である放電灯９、ソケット９ａなど防災用点灯装置４０以外の非常用照明器具の構成を備えているものとする。
【００３９】
防災用点灯装置４０は、図１に示す構成である。
【００４０】
【発明の効果】
請求項１記載の発明によれば、放電灯と；常用電源の出力を高周波に変換して放電灯を点灯する出力可変の第１の高周波発生装置と；常用電源の出力が８５パーセント以下になった時に非常用電源の出力を高周波に変換して放電灯を点灯する第２の高周波発生装置と；放電灯への電力供給を常用電源の状態に応じて第１の高周波発生装置および第２の高周波発生装置のいずれかに切換える切換え手段と；常用電源の出力が常用時と比較して少なくとも８５パーセントになっている時には第１の高周波発生装置の発振が強制的に停止されている状態となるように制御する制御手段と；を具備したことにより、非常時において第１の高周波発生装置へ誤って第２の高周波発生装置からの出力が入力されてしまっても第１の高周波発生装置が不具合を生じることを抑えることができる。
【００４１】
また、非常時はリレー等の各々の切替え点の一方のみに電圧が印加されている状態となるので、切替え部に係る負荷を軽減し、切替え手段の信頼性を向上することができる。
【００４２】
請求項２記載の発明によれば、請求項１記載の作用効果を有する。
【図面の簡単な説明】
【図１】本実施形態の防災照明用点灯装置を示す回路図
【図２】本実施形態の防災照明器具を示す斜視図である。
【符号の説明】
１・・・常用電源である交流電源、３・・・制御手段、４・・・第１の高周波発生装置である常用点灯回路、７・・・第２の高周波発生装置である非常用点灯回路、８・・・切替え手段、９・・・放電灯、４０・・・防災照明用点灯装置、５０・・・非常用照明器具
【図１】
2004119288.tif 000003
【図２】
2004119288.tif 000004